(57)【要約】 【課題】  ４穴用バインダであって、４つのリング部に対応する綴じ孔を有するバインダ用紙を半分サイズにしても、２穴用のバインダに安定して綴じることができるように、リング部の位置を規定したバインダを提供することを目的とする。【解決手段】  綴じ具５には、バインダ用紙６の一長辺縁部の綴じ代部を綴じる４つのリング部７が備えられている。これらの４つのリング部７は、バインダ用紙６における長手方向のほぼ中央部で短辺９とほぼ平行な区画線１１によって区画された２つの領域の綴じ孔１３を、それぞれ２つのリング部７によって綴じるように配されている。そして、それぞれの領域においてバインダ用紙６を綴じる２つのリング部７は、バインダ用紙６の区画線１１と短辺９とのほぼ中央の仮想軸１５を軸として対称となる位置においてバインダ用紙６を綴じるように配されている。【選択図】  図２
2006224447.tif 000002
【特許請求の範囲】
【請求項１】
バインダ用紙の一長辺縁部の綴じ代部を綴じる４つのリング部を有する綴じ具を備えるバインダであって、
これらの４つのリング部は、前記バインダ用紙における長手方向のほぼ中央部で短辺とほぼ平行な区画線によって区画された２つの領域を、それぞれ２つのリング部によって綴じるように配されるとともに、
それぞれの領域において前記バインダ用紙を綴じる２つのリング部は、前記バインダ用紙の前記区画線と前記短辺とのほぼ中央の仮想軸を軸として対称となる位置において前記バインダ用紙を綴じるように配されていることを特徴とするバインダ。
【請求項２】
前記区画線によって区画された一の領域において前記バインダ用紙を綴じる２つのリング部は、他の領域において前記バインダ用紙を綴じる２つのリング部とは独立して開閉操作可能とされていることを特徴とする請求項１に記載のバインダ。
【発明の詳細な説明】
【技術分野】
【０００１】
本発明は、バインダに関する。
【背景技術】
【０００２】
従来の４穴用のバインダでは、開閉可能な４つのリング部の位置関係は、４つのリング部が等間隔になるように配置されており、具体的には、Ａ４サイズ用のもので、その間隔は８０ｍｍとなっている（例えば、特許文献１参照）。
【０００３】
ところで、バインダ用紙には、使用時にはＡ５サイズとするが、印刷等の便宜から、Ａ５サイズを２枚つなげてＡ４サイズとしたものがある。
例えば、Ａ４サイズの用紙の中央部に切断可能線、例えばミシン目を入れ、このＡ４サイズの用紙から２穴バインダに綴じられる２枚のＡ５サイズの用紙を得られるようにした伝票用の用紙が知られている。このバインダ用紙は、Ａ４サイズのままの状態で印刷し、その後Ａ５サイズに切断して、Ａ５サイズ用の２穴バインダに綴じて使用される。
【０００４】
このように、本来、このバインダ用紙は、Ａ５サイズの状態でバインダに綴じられるものであるが、Ａ５サイズとせずに、Ａ４サイズのままバインダに綴じて保存したいという要請がある。
例えば、会計事務所、会社等において、伝票類を保管する場合には、Ａ５サイズにするよりもＡ４サイズのままで保管した方が、他の書類と同じ大きさとなり、そのバインダの保管も便利な場合がある。
【０００５】
この場合に、Ａ４サイズで保管することを考えると、図４に示すように、従来の４穴用のＡ４サイズ用のバインダ２１を用い、このバインダ２１のリング部２３に対応する４つの綴じ孔２７を有するＡ４サイズのバインダ用紙２８の中央部にＡ５サイズに切断するための切断可能線２５を入れれば、上記目的は実現されるようにも思われる。なお、図４中Ｌ１１は線分の長さを表し、Ｌ１１＝８０ｍｍである。
【特許文献１】特開２００２−３３７４９２公報（第１図）
【発明の開示】
【発明が解決しようとする課題】
【０００６】
しかしながら、この場合には、Ａ５サイズの用紙の２つの綴じ孔２７はＡ５サイズの用紙の中央２９から異なる位置関係となってしまうのである（Ｌ１３＝４５．７５ｍｍ、Ｌ１４＝３４．２５ｍｍ）。
従って、図５に示すようにこのＡ５サイズの用紙をＡ５サイズ用の２穴用のバインダに綴じたとしても、用紙がバインダからはみ出てしまうとともに、綴じ具の位置が用紙の中央に位置しないため、用紙を安定的に保持することはできなかった。
【０００７】
本発明は上記事情に基づいて完成されたものであって、その４つのリング部に対応する綴じ孔を有するバインダ用紙を半分サイズにしても、２穴用のバインダに適正に綴じることができるように、リング部の位置を規定したバインダを提供することを目的とする。
【課題を解決するための手段】
【０００８】
上記の目的を達成するための手段として、請求項１の発明はバインダ用紙の一長辺縁部の綴じ代部を綴じる４つのリング部を有する綴じ具を備えるバインダであって、これらの４つのリング部は、前記バインダ用紙における長手方向のほぼ中央部で短辺とほぼ平行な区画線によって区画された２つの領域を、それぞれ２つのリング部によって綴じるように配されるとともに、それぞれの領域において前記バインダ用紙を綴じる２つのリング部は、前記バインダ用紙の前記区画線と前記短辺とのほぼ中央の仮想軸を軸として対称となる位置において前記バインダ用紙を綴じるように配されていることを特徴とするバインダである。
【０００９】
請求項２の発明は、請求項１に記載のものにおいて、前記区画線によって区画された一の領域において前記バインダ用紙を綴じる２つのリング部は、他の領域において前記バインダ用紙を綴じる２つのリング部とは独立して開閉操作可能とされていることを特徴とする。
【発明の効果】
【００１０】
＜請求項１の発明＞
本請求項のバインダの４つのリング部に対応する綴じ孔を有するバインダ用紙は、一長辺縁部の綴じ代部に４つの綴じ孔を有し、これらの４つの綴じ孔は、バインダ用紙における長手方向のほぼ中央部で短辺とほぼ平行な区画線によって区画された２つの領域に綴じ孔部を、それぞれ２つ有している。
【００１１】
さらに、それぞれの領域における２つの綴じ孔部は、バインダ用紙の区画線と短辺とのほぼ中央の仮想軸を軸として対称となる位置関係となる。
よって、区画線によってバインダ用紙を分離し、およそ半分サイズにすると、この半分サイズのバインダ用紙においては、２つの綴じ孔部は、半分サイズのバインダ用紙のほぼ中央部の仮想軸を軸として対称となるから、２穴用のバインダに適正に綴じることができるようになる。
【００１２】
＜請求項２の発明＞
本請求項のバインダによれば、バインダに半分サイズの用紙を綴じる際には、４つのリング部のうち２つのリング部のみを独立して開放できるから、開放しない側の２つのリング部に既に綴じられているバインダ用紙が抜けてしまうことを防止することができる。
【発明を実施するための最良の形態】
【００１３】
以下、本発明の一実施形態について図１ないし図３を参照しつつ説明する。
本実施形態のバインダ１は、Ａ４サイズの用紙を綴じるためのものであって、表紙３と、この表紙３の背部の内側に固定された綴じ具５とからなっている。
【００１４】
綴じ具５には、バインダ用紙６の一長辺縁部の綴じ代部を綴じる４つの略円形のリング部７が備えられ、綴じ具５の上下両端に設けた操作レバー８を外側に向けて倒してリング部７を半割された開放状態とし、操作レバー８を内側に向けて起こして半割されたリング部を繋がった閉塞状態とすることができるようになっている。なお、本実施形態においては、図１中、上２つのリング部７Ａ，７Ｂは、綴じ具５の上端の操作レバー８Ａによって、操作可能となっており、下２つのリング部７Ｃ，７Ｄは、綴じ具５の下端の操作レバー８Ｂによって、操作可能となっている。すなわち、リング部７Ａ，７Ｂとリング部７Ｃ，７Ｄとは、それぞれ独立して開閉操作可能となっている。よって、本実施形態のバインダ１にＡ５サイズの用紙を綴じる場合には、両端のいずれかの操作レバー８を操作して、４つのリング部のうち２つのリング部７のみを開放すればよい。このようにすることで、Ａ５サイズの用紙を綴じるときでも、開放しない側の２つのリング部７に既に綴じられているバインダ用紙６が抜けてしまうことを防止することができる。
【００１５】
次にリング部７の位置関係について説明する。
これらの４つのリング部７は、バインダ用紙６における長手方向のほぼ中央部でバインダ用紙６の短辺９とほぼ平行な区画線１１によって区画された２つの領域を、それぞれ２つのリング部７によって綴じるように配されている。よって、バインダ用紙６の２つの領域には、２ずつ綴じ孔１３が設けられている。なお、本実施形態においては、区画線１１は、切断可能線の一例としてのミシン目とされており、このミシン目から切り離すと、Ａ５サイズの用紙２枚に分離できるようになっている。
【００１６】
そして、それぞれの領域においてバインダ用紙６を綴じる２つのリング部７は、バインダ用紙６の区画線１１と短辺９とのほぼ中央の仮想軸１５を軸として対称となる位置においてバインダ用紙６を綴じるように配されている。
言い換えれば、リング部７Ａのバインダ用紙６の綴じ位置と、リング部７Ｂのバインダ用紙６の綴じ位置とを結ぶ線分の垂直二等分線が仮想軸１５となるようにされている。同様にして、リング部７Ｃのバインダ用紙６の綴じ位置と、リング部７Ｄのバインダ用紙６の綴じ位置とを結ぶ線分の垂直二等分線が仮想軸１５となるようにされている。なお、図中Ｌ１〜Ｌ２は線分の長さを示し、同一の符号を付した線分は同一長となっており、本実施形態のバインダ１では、具体的は、Ｌ１＝７４．２５ｍｍ、Ｌ２＝４０ｍｍとなっているが、Ｌ１〜Ｌ２はこららの寸法に限定されるものではない。また、本実施形態では、リング部７Ｂとリング部７Ｃとの間隔は、６８．５ｍｍとなっている。
【００１７】
さて、次に本実施形態のバインダ１の作用効果について説明する。
本実施形態のバインダ１によれば、このバインダ１の４つのリング部７に対応する綴じ孔１３を有するバインダ用紙６を半分サイズにしても、２穴用のバインダに適正に綴じることができる。
すなわち、区画線１１によってバインダ用紙６を切断し、Ａ５サイズにすると、このＡ５サイズのバインダ用紙６においては、２つの綴じ孔１３は、Ａ５サイズのバインダ用紙６のほぼ中央部の仮想軸１５を軸として対称となるから、図３に示すように２穴用のバインダに適正に綴じることができるようになる。
【００１８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００１９】
（１）上記実施形態では、Ａ４サイズ用のバインダ１について説明したが、バインダのサイズは特に限定されず、例えば、Ａ３、Ａ５、Ａ６、Ｂ４、Ｂ５等の用紙を綴じるバインダであってもよい。
【００２０】
（２）上記実施形態では、伝票に使用可能なバインダ用紙６を綴じるバインダ１について説明したが、バインダ１に綴じるバインダ用紙６の用途は、特に限定されない。例えば、元帳、納品書、請求書、支払い明細書等の用途であってもよい。
【００２１】
（３）上記実施形態では、リング部７の形状は略円形としたが、リング部７の形状は特に限定されない。例えば、Ｄ字状のリング部７であってもよい。
【００２２】
（４）上記実施形態では、２つのリング部７が他の２つのリング部７と独立して開閉操作可能となっているが、４つのリング部７を一括して操作可能としてもよい。
【００２３】
（５）上記実施形態では、操作レバー８は、外側に向けて倒す、又は内側に向けて起こすことによって、リング部７の開閉動作をさせるものとしたが、操作レバー８の形状、機構等は、特に限定されない。
【図面の簡単な説明】
【００２４】
【図１】本発明の一実施形態に係るバインダの概略斜視図である。
【図２】バインダ及びこのバインダに綴じられたバインダ用紙の一部拡大平面図である。
【図３】伝票として使用したバインダ用紙を２穴のバインダに綴じた状態の斜視図である。
【図４】従来例のバインダ及びこのバインダに綴じられたバインダ用紙の一部拡大平面図である。
【図５】伝票として使用したバインダ用紙を２穴のバインダに綴じた状態の斜視図である（従来例）。
【符号の説明】
【００２５】
１…バインダ
３…表紙
５…綴じ具
６…バインダ用紙
７…リング部
９…短辺
１１…仮想区画線（ミシン目）
１３…綴じ孔
１５…仮想軸
【図１】
2006224447.tif 000003
【図２】
2006224447.tif 000004
【図３】
2006224447.tif 000005
【図４】
2006224447.tif 000006
【図５】
2006224447.tif 000007